(57)【要約】【課題】製造コストが高くなることを防ぐことが可能なコネクタを提供する。【解決手段】前側に設けられた相手側コネクタとの嵌合部１２をケーシング３０の外側に臨ませるようにして、前記ケーシング３０の開口部３１に嵌め込まれるハウジング１１を有し、前記ハウジング１１の後面１９と、その後方に分散して設けられた複数の挟持部２０との間に、前記ケーシング３０の開口縁部３２が挟み込まれるものとされ、前記ハウジング１１のうち前記挟持部２０の前側に位置する部分は、前後方向に貫通した貫通孔２３とされている。【選択図】図７
2015198001.tif 000002
【特許請求の範囲】
【請求項１】
前側に設けられた相手側コネクタとの嵌合部をケーシングの外側に臨ませるようにして、前記ケーシングの開口部に嵌め込まれるハウジングを有し、
前記ハウジングの後面と、その後方に分散して設けられた複数の挟持部との間に、前記ケーシングの開口縁部が挟み込まれるものとされ、
前記ハウジングのうち前記挟持部の前側に位置する部分は、前後方向に貫通した貫通孔とされているコネクタ。
【請求項２】
前記挟持部が、補強部によって補強されている請求項１に記載されたコネクタ。
【請求項３】
前記ケーシングの開口部が略方形とされ、
前記挟持部は、前記ケーシングの開口縁部における各辺に対応して少なくとも一対ずつが設けられている請求項１または請求項２に記載のコネクタ。
【請求項４】
前記ケーシングの開口部が一方向に開放された形態とされ、
前記ハウジングは、前記ケーシングの開口部の開放端側からスライド嵌合するものとされている請求項１ないし請求項３のいずれか一項に記載のコネクタ。
【発明の詳細な説明】
【技術分野】
【０００１】
本発明は、ケーシングの開口部に嵌め込まれるコネクタに関する。
【背景技術】
【０００２】
従来、相手側コネクタとの嵌合部をケーシングの外側に臨ませるようにして、ケーシングの開口部に嵌め込まれるコネクタが知られている。
例えば下記特許文献１に記載のコネクタにおいては、背面側に係止片が形成され、この係止片と、ハウジングの背面との間に形成された溝形状をなす部分に、カバーに設けられた突壁が差し込まれるようになっている。これにより、ケース内に投入される封止材の漏れを防止したり、相手側コネクタの嵌合・離脱動作に伴ってコネクタが前後に変位することを防ぐことができる。
【先行技術文献】
【特許文献】
【０００３】
【特許文献１】特開２００６−５０７５３号公報
【発明の概要】
【発明が解決しようとする課題】
【０００４】
しかしながら、上記のような構成では、ハウジングに溝形状を形成するためにスライド金型が必要であるから、製造コストが高くなるという問題があった。
【０００５】
本発明は上記のような事情に基づいて完成されたものであって、製造コストが高くなることを防ぐことが可能なコネクタを提供することを目的とする。
【課題を解決するための手段】
【０００６】
本発明のコネクタは、前側に設けられた相手側コネクタとの嵌合部をケーシングの外側に臨ませるようにして、前記ケーシングの開口部に嵌め込まれるハウジングを有し、前記ハウジングの後面と、その後方に分散して設けられた複数の挟持部との間に、前記ケーシングの開口縁部が挟み込まれるものとされ、前記ハウジングのうち前記挟持部の前側に位置する部分は、前後方向に貫通した貫通孔とされている。
【発明の効果】
【０００７】
本発明によれば、ハウジングの前面側を成形する金型によって挟持部の前面を成形でき、かつ、ハウジングの後面側を成形する金型によってハウジングの後面のうち挟持部と対向しない部分を成形することができるので、スライド金型を使用しなくても溝形状を成形することができ、もって製造コストが高くなることを防ぐことができる。
【図面の簡単な説明】
【０００８】
【図１】本実施例におけるコネクタを示す正面図
【図２】コネクタを示す側面図
【図３】コネクタを示す平面図
【図４】コネクタを示す背面図
【図５】コネクタを示す断面図であって、図１のＡ−Ａ位置における断面に相当する断面図
【図６】コネクタを示す断面図であって、図１のＢ−Ｂ位置における断面に相当する断面図
【図７】コネクタを示す断面図であって、図４のＣ−Ｃ位置における断面に相当する断面図
【発明を実施するための形態】
【０００９】
本発明のコネクタは、前記挟持部が、補強部によって補強されているものとしてもよい。このような構成によれば、各挟持部の強度を増すことができるから、ケーシングの開口縁部を挟み込むことに十分な強度を有するものとすることができる。
【００１０】
また、本発明のコネクタは、前記ケーシングの開口部が略方形とされ、前記挟持部は、前記ケーシングの開口縁部における各辺に対応して少なくとも一対ずつが設けられているものとしてもよい。このような構成によれば、ケーシングの開口縁部をバランスよく保持することができる。
【００１１】
また、本発明のコネクタは、前記ケーシングの開口部が一方向に開放された形態とされ、前記ハウジングは、前記ケーシングの開口部の開放端側からスライド嵌合するものとしてもよい。このような構成によれば、ケーシングの開口部にハウジングを容易に組み付けることができる。
【００１２】
＜実施例＞
以下、本発明を具体化した一実施例について、図１〜図７を参照しつつ詳細に説明する。
本実施例におけるコネクタ１０は、回路基板Ｐに接続される基板用コネクタである。このコネクタ１０は、複数本の端子金具Ｔと、端子金具Ｔを保持するハウジング１１とを備えている。以下、各構成部材において、図示しない相手側コネクタとの嵌合面側を前方とし、また、図１の上側を上方、下側を下方として説明する。
【００１３】
ハウジング１１は合成樹脂製であって、その前側には、相手側コネクタが嵌合可能とされた嵌合部１２が設けられている。嵌合部１２は、左右方向に長い略長方形の筒状をなして前方に開口している（図１参照）。
【００１４】
嵌合部１２の奥壁１２Ｋには、複数本の端子金具Ｔが圧入されて保持されている。端子金具Ｔは、帯板状であって幅広の形態をなし、長さ方向の途中位置において略直角に屈曲されて側面視略Ｌ字形に形成されている（図５参照）。端子金具Ｔの一端側は、嵌合部１２の奥壁１２Ｋから前方に突出して配され、相手側コネクタに保持された相手側端子金具と接続される。また、端子金具Ｔの他端側は、嵌合部１２の奥壁１２Ｋから後方に突出して配され、回路基板Ｐの導電路と接続される。
【００１５】
複数本の端子金具Ｔは、本実施例では上下２段にわけて配置されている。上段の端子金具Ｔと下段の端子金具Ｔとは、左右方向における位置が揃えられている（図１参照）。なお、上段に配される端子金具Ｔの本数は、下段にされる端子金具Ｔの本数よりも１本少なくされている。
【００１６】
嵌合部１２の奥壁１２Ｋのうち端子金具Ｔが保持される部分と、幅方向の両端縁部とは、他の部分よりも前後方向の寸法が大きい増厚部１３とされている（図５参照）。増厚部１３には、端子金具Ｔが挿入される端子挿入孔１４が、前後方向に貫通して設けられている。
【００１７】
嵌合部１２の両側壁１２Ｓの内側面には凹部１５が形成されている（図１参照）。凹部１５は、各側壁１２Ｓの上下方向における略中心部分を外側に広げることでその内側に形成されている。凹部１５は、嵌合部１２の前端から後端にわたり設けられている（図５参照）。
【００１８】
嵌合部１２の上壁１２Ｕには、相手側コネクタを嵌合状態にロックするためのロック部１６が設けられている（図５参照）。ロック部１６は、図１に示すように、下段のみに端子金具Ｔが配置された部位の上側に設けられている。ロック部１６は、嵌合部１２の内側面に突設され、その後面は、相手側コネクタとの嵌合方向に対して略垂直をなす係止面１６Ｋとされている。ロック部１６の後方には、係止面１６Ｋを成形するための型抜き孔１７が形成されている。型抜き孔１７の断面形状は、横長の長方形形状とされている（図４参照）。
【００１９】
嵌合部１２の下側には、端子金具Ｔのうち回路基板Ｐ側へ屈曲された部分の前方を覆うように覆壁部１８が設けられている（図５参照）。覆壁部１８は、嵌合部１２の奥壁１２Ｋの下側に連なるようにして嵌合部１２の後端部に設けられている。覆壁部１８は、ハウジング１１の全幅にわたって設けられている（図１参照）。
【００２０】
さて、ハウジング１１の後端部には、図３および図４に示すように、複数の挟持部２０が設けられている。すべての挟持部２０は、ハウジング１１の後面１９と対向して配置されている。ハウジング１１の後面１９と挟持部２０との間には、ケーシング３０の開口縁部３２の厚さ寸法と同等の間隔があけられ、ケーシング３０の開口縁部３２がほぼ隙間のない状態で嵌め込まれる（図６参照）。各挟持部２０は、図７に示すように、増厚部１３の後端に設けられている。
【００２１】
挟持部２０は、ハウジング１１の上面および両側面に設けられ、ケーシング３０の開口縁部３２のうち上縁部３２Ｕおよび両側縁部３２Ｓをそれぞれ挟持するものとされている。なお、以下では、挟持部２０のうちハウジング１１の上面に設けられたものを上面挟持部２１、側面に設けられたものを側面挟持部２２と称する。
【００２２】
上面挟持部２１は、ロック部１６の両側に位置して設けられている。詳しくは、上面挟持部２１は、背面側から見たときに、ロック部１６の右側に２つ、左側に１つが設けられている（図４参照）。上面挟持部２１は、左右方向の位置が端子金具Ｔと揃うように配置されている。幅方向に並んだ上面挟持部２１のうち両端に位置するもの（以下、端上面挟持部２１Ｈと称する）は、その間に位置するもの（以下、中上面挟持部２１Ｎと称する）よりも幅寸法（左右方向の寸法）が小さくされている。なお、上面挟持部２１の上端面は、ハウジング１１の上端面よりも一段低い位置に配されている。
【００２３】
側面挟持部２２は、ハウジング１１の各側面の上下に一対ずつ設けられている。ハウジング１１の両側面において、側面挟持部２２の配置および形状は左右等しくされている。上下一対の側面挟持部２２のうち上側に位置するもの（以下、上側面挟持部２２Ｕと称する）は、下側に位置するもの（以下、下側面挟持部２２Ｓと称する）よりも幅寸法（上下方向の寸法）が大きくされている。上側面挟持部２２Ｕは、嵌合部１２の凹部１５と対応する位置に形成されている。上側面挟持部２２Ｕの外形形状は、凹部１５の形状に整合している。下側面挟持部２２Ｓは、覆壁部１８に設けられている。
【００２４】
そして、ハウジング１１のうち挟持部２０と対向する部位（挟持部２０の前側に位置する部位）は、それぞれ前後方向に貫通した貫通孔２３とされている。
貫通孔２３のうち上面挟持部２１の前側に形成されたもの（以下、上面貫通孔２４と称する）は、図６に示すように、嵌合部１２の奥壁１２Ｋのうち上面挟持部２１と対向する部位に形成された前後方向に貫通する周方向に閉じた孔と、嵌合部１２の上壁１２Ｕのうち上面挟持部２１と対向する部位に形成された内周面の凹みとからなる。上面貫通孔２４の断面形状は、対応する上面挟持部２１の形状にそれぞれ整合し、各上面挟持部２１は、その全体が上面貫通孔２４によってハウジング１１の前方へ開放されている（図１参照）。３つの上面貫通孔２４と型抜き孔１７とは、ほぼ等間隔で並ぶように配置されている。なお、上面貫通孔２４のうち中上面挟持部２１Ｎに対応するものは、幅寸法が型抜き孔１７と同等とされている。
【００２５】
貫通孔２３のうち上側面挟持部２２Ｕと対向する部位に形成されたもの（以下、上側面貫通孔２５Ｕと称する）は、図１に示すように、嵌合部１２の奥壁１２Ｋのうち上側面挟持部２２Ｕと対向する部位に形成された前後方向に貫通する周方向に閉じた孔と、嵌合部１２の側壁１２Ｓのうち上側面挟持部２２Ｕと対向する部位に形成された内側面の凹みとからなる。なお、上側面貫通孔２５Ｕのうち嵌合部１２の側壁１２Ｓに形成された凹みは、嵌合部１２の凹部１５を構成している。
【００２６】
また、貫通孔２３のうち下側面挟持部２２Ｓと対向する部位に形成されたもの（以下、下側面貫通孔２５Ｓと称する）は、図１に示すように、覆壁部１８のうち下側面挟持部２２Ｓと対向する部位に形成された前後方向に貫通する孔である。下側面貫通孔２５Ｓは、覆壁部１８の両端縁部に、側方に開放された凹みとして形成されている（図２参照）。
【００２７】
上側面貫通孔２５Ｕおよび下側面貫通孔２５Ｓの断面形状は、対応する上側面挟持部２２Ｕおよび下側面挟持部２２Ｓの形状にそれぞれ整合し、各上側面挟持部２２Ｕおよび下側面挟持部２２Ｓは、その全体が上側面貫通孔２５Ｕおよび下側面貫通孔２５Ｓによってハウジング１１の前方へ開放されている。
【００２８】
各挟持部２０は、図６および図７に示すように、補強部２６によって補強されている。補強部２６は、すべての挟持部２０に設けられている。補強部２６は、各挟持部２０の後面に立設されている。補強部２６は、各挟持部２０の幅方向の中心に形成された壁状をなしている。補強部２６は、各挟持部２０の全高にわたり形成されている。すべての挟持部２０において補強部２６の端部は増厚部１３に至っている（図４参照）。なお、側面挟持部２２に設けられた補強部２６は、上面挟持部２１に設けられた補強部２６よりも増厚部１３側への形成領域が大きくされている。
【００２９】
上記のような構成のコネクタ１０は、回路基板Ｐに接続された後に、ケーシング３０の開口部３１に嵌め込まれる。ケーシング３０の開口部３１は、図４に示すように、略方形をなして下向に開放された形態とされ、ハウジング１１は、ケーシング３０の開口部３１の下端（開放端）側からスライド嵌合される。そして、ハウジング１１の後面１９と、その後方に分散して設けられた複数の挟持部２０との間に、ケーシング３０の開口縁部３２が挟み込まれる。このとき、コネクタ１０は、嵌合部１２がケーシング３０の開口部３１から外側に突出し、回路基板Ｐ側がケーシング３０の内側に配された状態となる。そして、ケーシング３０内には、図示しないポッティング材（封止材）が導入され、これによりケーシング３０内が液密状に樹脂封止される。
【００３０】
次に、上記のように構成された実施例の作用および効果について説明する。
本実施例のコネクタ１０は、前側に設けられた相手側コネクタとの嵌合部１２をケーシング３０の外側に臨ませるようにして、ケーシング３０の開口部３１に嵌め込まれるハウジング１１を有し、ハウジング１１の後面１９と、その後方に分散して設けられた複数の挟持部２０との間に、ケーシング３０の開口縁部３２が挟み込まれるものとされ、ハウジング１１のうち挟持部２０の前側に位置する部分は、前後方向に貫通した貫通孔２３とされている。
【００３１】
この構成によれば、ハウジング１１の前面側を成形する金型（可動側の凸型）によって挟持部２０の前面を成形することができ、かつ、ハウジング１１の後面側を成形する金型（固定側の凹型）によってハウジング１１の後面１９のうち挟持部２０と対向しない部分（分散配置された挟持部２０の間に位置する部分）を成形することができる。すなわち、従来のようにスライド金型を使用しなくても溝形状を成形することができるから、製造コストが高くなることを防ぐことができる。
【００３２】
また、挟持部２０は、補強部２６によって補強されている。この構成によれば、各挟持部２０の強度を増すことができるから、ケーシング３０の開口縁部３２を挟み込むことに十分な強度を有するものとすることができる。
【００３３】
また、ケーシング３０の開口部３１は略方形とされ、挟持部２０は、ケーシング３０の開口縁部３２における上縁部３２Ｕおよび両側縁部３２Ｓ（各辺）に対応して少なくとも一対ずつが設けられている。この構成によれば、ケーシング３０の開口縁部３２をバランスよく保持することができる。
【００３４】
また、ケーシング３０の開口部３１は一方向に開放された形態とされ、ハウジング１１は、ケーシング３０の開口部３１の開放端側からスライド嵌合するものとされている。この構成によれば、ケーシング３０の開口部３１にハウジング１１を容易に組み付けることができる。
【００３５】
＜他の実施例＞
本発明は上記記述及び図面によって説明した実施例に限定されるものではなく、例えば次のような実施例も本発明の技術的範囲に含まれる。
（１）上記実施例では、本発明を、回路基板Ｐに接続される基板用コネクタに適用した場合について説明したが、これに限らず、本発明は、ケーシングの開口部に嵌め込まれる各種コネクタに適用することができる。
（２）上記実施例では、挟持部２０は、ハウジング１１の上面に３つ、両側面に一対ずつが設けられているが、これに限らず、挟持部の配置位置および配置数は、コネクタおよびケーシングの形態に合わせて適宜変更してもよい。
（３）上記実施例では、ケーシング３０の開口部３１は下方に開放された形態とされ、ハウジング１１は、ケーシング３０の開口部３１の下端側からスライド嵌合するものとされているが、これに限らず、例えば、ケーシングの開口部は周方向に閉じた形態とされ、ハウジングは、挟持部を弾性変形させるようにしてケーシングの開口部に押し込まれて嵌め込まれるものであってもよい。
（４）上記実施例では、本発明を、開口部３１が略方形をなすケーシング３０に嵌め込まれるコネクタ１０に適用した場合について説明したが、これに限らず、本発明は、いかなる形状の開口部を有するケーシングに嵌め込まれるコネクタに対しても適用することができる。
【符号の説明】
【００３６】
１０…コネクタ
１１…ハウジング
１２…嵌合部
１９…後面
２０…挟持部
２３…貫通孔
２６…補強部
３０…ケーシング
３１…開口部
３２…開口縁部
３２Ｕ…上縁部（各辺）
３２Ｓ…下縁部（各辺）
【図１】
2015198001.tif 000003
【図２】
2015198001.tif 000004
【図３】
2015198001.tif 000005
【図４】
2015198001.tif 000006
【図５】
2015198001.tif 000007
【図６】
2015198001.tif 000008
【図７】
2015198001.tif 000009